(57)【要約】      （修正有）【課題】ハウスの設置、解体時のシートの取り扱い、及びハウスの設置面積の拡張が容易である仮設シートハウスを提供する。【解決手段】直方体状の外形をなす枠体を形成するとともに、該枠体の側面に対して該枠体の寸法と略等しい寸法の他の枠体を順次増設するように連結及び分離可能である複数の枠材を備え、前記枠体及び他の枠体の天面を覆う天井シート４を２枚、側面を各別に覆う側壁シート５を６枚、夫々備え、天井シート４の４つの周辺部夫々に、互いに噛み合い自在な一対のファスナー片６ａ，６ｂの一方６ａを設け、側壁シート５の上端部に、他方のファスナー片６ｂを設け、天井シート４の１つの周辺部の長さより短い長さを有し、幅方向の両端部夫々に他方のファスナー片を設けた帯体１５を備え、一方のファスナー片６ａに、ファスナー片の噛み合わせ及び解除操作用のスライダー７を付設してある。【選択図】図９
0003150867.tif 000002
【実用新案登録請求の範囲】
【請求項１】
直方体状の外形をなす枠体を形成するように連結及び分離可能である複数の枠材と、前記枠体の天面を覆う１枚の天井シートと、前記枠体の４側面を各別に覆う４枚の側壁シートとを備え、
前記天井シートの４つの周辺部夫々に、互いに噛み合い自在な一対のファスナー片の一方を設け、前記側壁シートの上端部に、前記一対のファスナー片の他方を設けてあり、
前記一方のファスナー片もしくは他方のファスナー片、又は、前記一方のファスナー片のうちの一部及び他方のファスナー片のうちの一部に、ファスナー片の噛み合わせ及び解除操作用のスライダーを付設してあることを特徴とする仮設シートハウス。
【請求項２】
直方体状の外形をなす枠体を形成するとともに、該枠体の側面に対して該枠体の寸法と略等しい寸法の他の枠体を順次増設するように連結及び分離可能である複数の枠材を備え、
前記枠体及び他の枠体の天面を覆う天井シートを２枚以上、前記枠体及び他の枠体の側面を各別に覆う側壁シートを６枚以上、夫々備え、
前記天井シートの４つの周辺部夫々に、互いに噛み合い自在な一対のファスナー片の一方を設け、前記側壁シートの上端部に、前記一対のファスナー片の他方を設けてあり、
前記天井シートの１つの周辺部と略同一の長さ又はより短い長さを有し、幅方向の両端部夫々に前記他方のファスナー片を設けてある帯体を少なくとも一つ備え、
前記一方のファスナー片もしくは他方のファスナー片、又は、前記一方のファスナー片のうちの一部及び他方のファスナー片のうちの一部に、ファスナー片の噛み合わせ及び解除操作用のスライダーを付設してあることを特徴とする仮設シートハウス。
【請求項３】
直方体状の外形をなす枠体を形成するとともに、該枠体の側面に対して該枠体の寸法と略等しい寸法の他の枠体を順次増設するように連結及び分離可能である複数の枠材を備え、
前記枠体及び他の枠体の天面を覆う天井シートを２枚以上、前記枠体及び他の枠体の側面を各別に覆う側壁シートを６枚以上、夫々備え、
前記天井シートの４つの周辺部のうちの一部に、互いに噛み合い自在な一対のファスナー片の一方を設け、残りの周辺部に前記一対のファスナー片の他方を設けてあり、
前記側壁シートのうちの一部の上端部に、前記一対のファスナー片の一方を設け、残りの側壁シートの上端部に、前記一対のファスナー片の他方を設けてあり、
前記一方のファスナー片もしくは他方のファスナー片、又は、前記一方のファスナー片のうちの一部及び他方のファスナー片のうちの一部に、ファスナー片の噛み合わせ及び解除操作用のスライダーを付設してあることを特徴とする仮設シートハウス。
【請求項４】
前記各枠体は、車輪を下部に備えており、
前記側壁シートは下端部が設置面よりも上方側に位置しており、
前記側壁シートの下部に着脱自在で、装着時に下端部が設置面に接触する裾シートを備えていることを特徴とする請求項１から３の何れか１項に記載の仮設シートハウス。
【請求項５】
前記側壁シートの１つはスリット状の開口を有し、該開口の両側の縁部には互いに噛み合い自在な一対のファスナー片を設けてあり、該一対のファスナー片に、該開口の各端部側から中央側への移動により該一対のファスナー片を噛み合わせ、中央側から各端部側への移動により該一対のファスナー片の噛み合わせを解除する２つのスライダーを付設していることを特徴とする請求項１から４の何れか１項に記載の仮設シートハウス。
【考案の詳細な説明】
【技術分野】
【０００１】
本考案は、例えば粉塵や騒音等が発生する場所に設置し、粉塵等が周囲に拡散しないようにするための防塵用の仮設シートハウスに関する。
【背景技術】
【０００２】
防塵用の仮設シートハウスでは、従来、設置面上に４本の縦フレームを立設させ、隣り合う縦フレームを複数の横フレームで連結して直方体状の外形をなす枠体を組み立てるとともに、枠体の天面と側面とを覆うように防塵シートを被せた構造が公知である。
また、ハウス内での作業を防塵状態で行うために機器を収容する仮設シートハウスとして、直方体状の外形をなす枠体の側面に機器搬入用の開口を設け、枠体の天面と側面とを防塵シートで覆う構造が公知である（特許文献１参照）。
【先行技術文献】
【特許文献】
【０００３】
【特許文献１】特開２００３−９０１３２号公報
【考案の概要】
【考案が解決しようとする課題】
【０００４】
従来の仮設シートハウスでは、枠体の側面を覆うシート部分が上端部で天面を覆うシート部分に連設されてサイズが大きくなり、重量も重い一体の防塵シートを用いていた。そのため、ハウスの設置、解体作業時のシートの取り扱いが面倒であり、さらに、広い面積の作業場所を囲うためにハウスを連結して設置面積を拡張することが難しく不便であった。また従来の仮設シートハウスでは、側面を覆うシート部分の下端が設置面に接触していたため、仮設シートハウスを移動する際にシートの下端が設置面と擦れて破損するおそれがあった。
本願考案は、上述したような事情に鑑みてなされたものであり、ハウスの設置、解体作業時のシートの取り扱いが容易である仮設シートハウスを提供し、また、ハウスの設置面積を拡張することが容易な仮設シートハウスを提供し、また、側面を覆うシートの下端の破損を防止することができる仮設シートハウスを提供することを目的とする。
【課題を解決するための手段】
【０００５】
第１の考案に係る仮設シートハウスは、直方体状の外形をなす枠体を形成するように連結及び分離可能である複数の枠材と、前記枠体の天面を覆う１枚の天井シートと、前記枠体の４側面を各別に覆う４枚の側壁シートとを備え、前記天井シートの４つの周辺部夫々に、互いに噛み合い自在な一対のファスナー片の一方を設け、前記側壁シートの上端部に、前記一対のファスナー片の他方を設けてあり、前記一方のファスナー片もしくは他方のファスナー片、又は、前記一方のファスナー片のうちの一部及び他方のファスナー片のうちの一部に、ファスナー片の噛み合わせ及び解除操作用のスライダーを付設してあることを特徴とする。
【０００６】
第１の考案においては、仮設シートハウスを設置する場合は、複数の枠材を連結して直方体状の外形をなす枠体を形成し、１枚の天井シートの４つの周辺部夫々に設けた一方のファスナー片と４枚の側壁シートの夫々の上端部に設けた他方のファスナー片とを、一方のファスナー片あるいは他方のファスナー片に付設したスライダーによって噛み合わせて、１枚の天井シートに４枚の側壁シートを接続するとともに、天井シートで枠体の天面を覆い、４枚の側壁シートで枠体の４側面を各別に覆う。仮設シートハウスを解体する場合は、天井シートのファスナー片と４枚の側壁シートのファスナー片との噛み合わせをスライダーによって解除し、天井シートと４枚の側壁シートとに分離するとともに、連結している複数の枠材を分離する。
【０００７】
第２の考案に係る仮設シートハウスは、直方体状の外形をなす枠体を形成するとともに、該枠体の側面に対して該枠体の寸法と略等しい寸法の他の枠体を順次増設するように連結及び分離可能である複数の枠材を備え、前記枠体及び他の枠体の天面を覆う天井シートを２枚以上、前記枠体及び他の枠体の側面を各別に覆う側壁シートを６枚以上、夫々備え、前記天井シートの４つの周辺部夫々に、互いに噛み合い自在な一対のファスナー片の一方を設け、前記側壁シートの上端部に、前記一対のファスナー片の他方を設けてあり、前記天井シートの１つの周辺部と略同一の長さ又はより短い長さを有し、幅方向の両端部夫々に前記他方のファスナー片を設けてある帯体を少なくとも一つ備え、前記一方のファスナー片もしくは他方のファスナー片、又は、前記一方のファスナー片のうちの一部及び他方のファスナー片のうちの一部に、ファスナー片の噛み合わせ及び解除操作用のスライダーを付設してあることを特徴とする。
【０００８】
第２の考案においては、仮設シートハウスを設置する場合は、複数の枠材を連結して、直方体状の外形をなす枠体を形成するとともに、この枠体の側面に対して寸法が略等しい他の枠体を順次増設する。２枚以上の天井シートのうちの１枚目の天井シートの１つの周辺部に設けた一方のファスナー片と、この１つの周辺部と略同一の長さ又はより短い長さを有する帯体の一方の幅方向の一端部に設けた他方のファスナー片とを、該一方のファスナー片あるいは他方のファスナー片に付設したスライダーによって噛み合わせ、２枚目の天井シートの１つの周辺部に設けた一方のファスナー片と前記帯体の幅方向の他端部に設けた他方のファスナー片とを、該一方のファスナー片あるいは他方のファスナー片に付設したスライダーによって噛み合わせ、２枚の天井シートを帯体によって接続する。３枚目以降の天井シートがある場合は同様に帯体によって順次接続する。また、帯体と接続されていない各天井シートの周辺部に設けた一方のファスナー片と各側壁シートの上端部に設けた他方のファスナー片とを、該一方のファスナー片あるいは他方のファスナー片に付設したスライダーによって噛み合わせ、接続された２枚以上の天井シートに６枚以上の側壁シートを接続するとともに、各天井シートで枠体及び他の枠体の各天面を覆い、６枚以上の側壁シートで枠体及び他の枠体の６以上の側面を各別に覆う。仮設シートハウスを解体する場合は、各天井シートのファスナー片と各側壁シートのファスナー片との噛み合わせ、及び各天井シートと帯体との噛み合わせを前記スライダーによって解除し、天井シートと側壁シートと帯体とに分離するとともに、連結している複数の枠材を分離する。
【０００９】
第３の考案に係る仮設シートハウスは、直方体状の外形をなす枠体を形成するとともに、該枠体の側面に対して該枠体の寸法と略等しい寸法の他の枠体を順次増設するように連結及び分離可能である複数の枠材を備え、前記枠体及び他の枠体の天面を覆う天井シートを２枚以上、前記枠体及び他の枠体の側面を各別に覆う側壁シートを６枚以上、夫々備え、前記天井シートの４つの周辺部のうちの一部に、互いに噛み合い自在な一対のファスナー片の一方を設け、残りの周辺部に前記一対のファスナー片の他方を設けてあり、前記側壁シートのうちの一部の上端部に、前記一対のファスナー片の一方を設け、残りの側壁シートの上端部に前記一対のファスナー片の他方を設けてあり、前記一方のファスナー片もしくは他方のファスナー片、又は、前記一方のファスナー片のうちの一部及び他方のファスナー片のうちの一部に、ファスナー片の噛み合わせ及び解除操作用のスライダーを付設してあることを特徴とする。
【００１０】
第３の考案においては、仮設シートハウスを設置する場合は、複数の枠材を連結して、直方体状の外形をなす枠体を形成するとともに、この枠体の側面に対して寸法が略等しい他の枠体を順次増設する。２枚以上の天井シートのうちの１枚目の天井シートの１つの周辺部に設けた一方のファスナー片と２枚目の天井シートの１つの周辺部に設けた他方のファスナー片とを、該一方のファスナー片あるいは他方のファスナー片に付設したスライダーによって噛み合わせ、２枚の天井シートを接続する。３枚目以降の天井シートがある場合は同様に順次接続する。また、他の天井シートと接続されていない各天井シートの周辺部に設けた一方のファスナー片と各側壁シートの上端部に設けた他方のファスナー片、又は各天井シートの周辺部に設けた他方のファスナー片と各側壁シートの上端部に設けた一方のファスナー片とを、該一方のファスナー片あるいは他方のファスナー片に付設したスライダーによって噛み合わせて、接続された２枚以上の天井シートに６枚以上の側壁シートを接続するとともに、各天井シートで枠体及び他の枠体の各天面を覆い、６枚以上の側壁シートで枠体及び他の枠体の６以上の側面を各別に覆う。仮設シートハウスを解体する場合は、各天井シートのファスナー片と各側壁シートのファスナー片との噛み合わせ、及び天井シートのファスナー片同士の噛み合わせをスライダーによって解除し、天井シートと側壁シートとに分離するとともに、連結している複数の枠材を分離する。
【００１１】
第４の考案に係る仮設シートハウスは、第１から第３の考案の何れかにおける前記各枠体は、車輪を下部に備えており、前記側壁シートは下端部が設置面よりも上方側に位置しており、前記側壁シートの下部に着脱自在で、装着時に下端部が設置面に接触する裾シートを備えていることを特徴とする。
第４の考案においては、仮設シートハウスを設置する場合は、側壁シートの下部に裾シートを装着して、側壁シートの下端部と設置面との間を塞ぐようにする。仮設シートハウスを移動する場合は、側壁シートの下部に装着してある裾シートを取り外し、各枠体の下部に備えた車輪を転動させて移動する。
【００１２】
第５の考案に係る仮設シートハウスは、第１から第４の考案の何れかにおける前記側壁シートの１つはスリット状の開口を有し、該開口の両側の縁部には互いに噛み合い自在な一対のファスナー片を設けてあり、該一対のファスナー片に、該開口の各端部側から中央側への移動により該一対のファスナー片を噛み合わせ、中央側から各端部側への移動により該一対のファスナー片の噛み合わせを解除する２つのスライダーを付設していることを特徴とする。
第５の考案においては、側壁シートの１つが有するスリット状の開口の両側の縁部に設けた一対のファスナー片に付設した２つのスライダーの夫々を開口の中央側から各端部側へ移動させると、その移動した範囲でファスナー片の噛み合わせが解除され、スリット状の開口が開放され、２つのスライダーを各端部位置まで移動させた場合は、開口は全開状態になる。逆に、上記２つのスライダーの夫々を開口の各端部側から中央側へ移動させることによって、その移動した範囲でファスナー片が噛み合い、スリット状の開口が閉じられ、２つのスライダーを当接する位置まで移動させた場合は、開口は全閉状態になる。
【考案の効果】
【００１３】
第１の考案によれば、ハウスの設置時は、個々に分離された１枚の天井シートと４枚の側壁シートとをファスナーによって接続して直方体状の枠体を覆うシートとし、ハウスの解体時は、ファスナーを解除して、１枚の天井シートと各側壁シートとに分離するので、取り扱うシートが個々の天井シート及び各側壁シートとなってサイズが小さくなり、重量も軽くなるため、ハウスの設置、解体作業時のシートの取り扱いが容易な仮設シートハウスが提供される。
【００１４】
第２及び第３の考案によれば、第１の考案と同様に、ハウスの設置、解体作業時のシートの取り扱いが容易であることに加えて、枠体の増設及び天井シート、側壁シートの追加接続により、ハウスの設置面積を拡張することが容易である仮設シートハウスが提供される。さらに、第２の考案に係る仮設シートハウスでは、天井シートのファスナー片を全てスライダー付きとした場合は、側壁シートのファスナー片が全てスライダー無しとなり、あるいは、天井シートのファスナー片を全てスライダー無しとした場合は、側壁シートのファスナー片が全てスライダー付きとなり、側壁シートのファスナー片が１種類になるので、シート構成を簡素化できる。また、第３の考案に係る仮設シートハウスでは、天井シート同士を接続するための帯体が不要になり、シート構成を簡素化できる。
【００１５】
第４の考案によれば、ハウスを移動する際は側壁シートの下部に装着していた裾シートを取り外し、枠体の側面を覆うシートの下端の破損を防止することができる仮設シートハウスが提供される。
【００１６】
第５の考案によれば、１つの側壁シートに、２個のスライダーにて任意の範囲を開閉できるスリット状の開口を設けたので、該開口を利用してハウス内への出入り、ハウス内で回収した塵の搬出用ダクトの設置等が可能となる仮設シートハウスが提供される。
【図面の簡単な説明】
【００１７】
【図１】本考案の第１の実施形態に係る仮設シートハウスの枠体を示す正面図である。
【図２】図１のＩＩ−ＩＩ線における平面断面図である。
【図３】第１の実施形態に係る仮設シートハウスのシートを示す平面図である。
【図４】第１の実施形態に係る仮設シートハウスの組み立て状態を示す正面図である。
【図５】第１の実施形態に係る仮設シートハウスの設置完了状態を示す正面図である。
【図６】第２の実施形態に係る仮設シートハウスの枠体の正面図である。
【図７】図６のＶＩＩ−ＶＩＩ線における側面断面図である。
【図８】第２の実施形態に係る仮設シートハウスのシートを示す平面図である。
【図９】第２の実施形態に係る仮設シートハウスのシートを示す平面図である。
【図１０】第２の実施形態に係る仮設シートハウスを示す正面図である。
【図１１】第３の実施形態に係る仮設シートハウスの枠体の平面図である。
【図１２】図１１のＸＩＩ−ＸＩＩ線における側面断面図である。
【図１３】第３の実施形態に係る仮設シートハウスのシートを示す平面図である。
【図１４】第４の実施形態に係る仮設シートハウスの天井シートを示す平面図である。
【図１５】第４の実施形態に係る仮設シートハウスのシートを示す平面図である。
【図１６】第５の実施形態に係る仮設シートハウスのシートを示す平面図である。
【考案を実施するための形態】
【００１８】
以下、本考案に係る仮設シートハウスの実施の形態について説明する。図１は本考案の第１の実施形態に係る仮設シートハウスの枠体を示す正面図、図２は図１のＩＩ−ＩＩ線における平面断面図、図３は同仮設シートハウスのシートを示す平面図、図４は同仮設シートハウスの組み立て状態を示す正面図、図５は同仮設シートハウスの設置完了状態を示す正面図である。
【００１９】
本考案の第１の実施形態に係る仮設シートハウスは、直方体状の外形をなす枠体Ａと、枠体Ａの天面及び側面を覆うシートＢとを有している。
枠体Ａを形成するための枠材は、設置面上の略正方形の各頂点に立設された４本の縦パイプ１と、隣り合う縦パイプ１の上部同士及び下部同士を連結するように横向きに配置された８本の横パイプ２とで構成される。横パイプ２の両端部にはクランプ２ａが付設され、クランプ２ａを締め付けることで横パイプ２が縦パイプ１に固定され、クランプ２ａの締め付けを解除することで横パイプ２の固定が解除される。各縦パイプ１の下端部にはキャスター式の車輪３を保持する保持部３ａが取り付けてある。保持部３ａの上部にジャッキ装置を介して高さ調整用ハンドル３ｂが連結してあり、ジャッキ操作により高さ調整用ハンドル３ｂの高さが調節できる。図示は略すが、高さ調整用ハンドル３ｂは、縦パイプ１の内径より大径の円柱部分を有し、その円柱部分の上部に縦パイプ１の内径より小径の丸棒部を上方側に向けて延設してある。各パイプ１，２は鉄製である。車輪３には１５０〜２００ｍｍ程度の径の白ゴムタイヤを使用し、床面へのタイヤ跡の発生を抑制している。
【００２０】
枠体Ａは、以下のようにして組み立てる。先ず、２本の縦パイプ１を平行に間隔を隔てて配置し、両方の縦パイプ１の上部同士及び下部同士をクランプ２ａ付きの横パイプ２で連結したロの字型の枠を２つ作る。次に、２つのロの字型の枠を互いの枠面が平行になるように間隔を隔てて配置し、対向する縦パイプ１の上部同士及び下部同士をクランプ２ａ付きの横パイプ２で連結し、直方体状に組む。次に、高さが最低位置に調節された高さ調整用ハンドル３ｂの上部側の丸棒部を高さ調整用ハンドル３ｂが縦パイプ１の下端部に当接するまで縦パイプ１の下端部に差し込む。最後に、枠体ＡにシートＢを装着する際にシートの破れ等が生じないように、各縦パイプ１の上端部にキャップ１ａを取り付け、また、図示は省略するが、クランプ２ａにプラスチック製のクランプカバーを取り付ける。
【００２１】
シートＢは、枠体Ａの天面を覆う１枚の天井シート４と、枠体Ａの４側面を各別に覆う４枚の側壁シート５とで構成される。天井シート４の形状は正方形であり、各側壁シート５の形状は縦長の長方形である。天井シート４及び側壁シート５は遮音性を有する半透明のシートである。具体的には、各シート４，５は厚さ１．１ｍｍと厚い透明樹脂シートに十字格子状に幅広の補強用糸材を封止したシート材（商品名：（株）クラレ製のサウンドシャッター（登録商標）ＫＮ−１１００）を使用し、１０ｄｂ程度の遮音性能（測定周波数４００Ｈｚ）を実現している。その結果、ハウス内部で発生した騒音は各シート４，５で遮断され、外部に漏れにくい。また、各シート４，５を通してハウス内を直接見ることができないが、外部光が各シート４，５を透過するため、ハウス内部は明るくなる。
【００２２】
天井シート４の正方形の各周辺部に、互いに噛み合い自在な一対のファスナー片６ａ，６ｂの一方で、スライダー７が付設されたファスナー片６ａが取り付けてある。縦長の側壁シート５の上端部に、一対のファスナー片６ａ，６ｂの他方で、スライダー７無しのファスナー片６ｂが取り付けてある。従って、天井シート４の各周辺部のファスナー片６ａと各側壁シート５の上端部のファスナー片６ｂとをスライダー７の移動によって噛み合わせて結合し、各側壁シート５を天井シート４に接続することができる。また、スライダー７の移動によって、天井シート４のファスナー片６ａと側壁シート５のファスナー片６ｂとの噛み合わせを解除し、各側壁シート５を天井シート４から分離することができる。図３には、１枚の側壁シート５が天井シート４に接続され、他の３枚の側壁シート５が天井シート４から分離した状態を示す。図示は省略するが、スライダー７は一対のファスナー片６ａ，６ｂを噛み合わせた状態でロックするロック機構を備えている。
【００２３】
縦長の側壁シート５の両側端部には、隣接する側壁シート５と接続するために相互に絡み合う一対の面ファスナー８ａ，８ｂが設けてある。一方の面ファスナー（例えば、オス型ファスナー）８ａは側壁シート５の裏面側に配置され、他方の面ファスナー（例えば、メス型ファスナー）８ｂは側壁シート５の表面側に配置されている。
【００２４】
側壁シート５の１枚は、上下方向に伸びたスリット状の開口９を中央に有している。開口９の両側の縁部には、互いに噛み合い自在な一対のファスナー片１０ａ，１０ｂを設けてあり、該一対のファスナー片１０ａ，１０ｂに、開口９の各端部側から中央側への移動により一対のファスナー片１０ａ，１０ｂを噛み合わせ、中央側から各端部側への移動により一対のファスナー片１０ａ，１０ｂの噛み合わせを解除する２個のスライダー１１ａ，１１ｂを付設している。従って、２個のスライダー１１ａ，１１ｂによって開口９を上下の任意の位置で開閉することができる。２個のスライダー１１ａ，１１ｂも、開口９を任意の位置で開いた状態でロックするロック機構を備えている。
【００２５】
側壁シート５の１枚は、開口９から横方向に離れた位置に、ハウス内部を見るために側壁シート５の上端から下端まで透明なシート材で構成した透明部１２を有している。透明部１２は、具体的には、厚さ０．８ｍｍの透明樹脂シートに十字格子状に細幅の補強用糸を封止したシート材（品名：俣野（株）販売のＥＴ−１６００クリア）を使用している。
【００２６】
シートＢは、以下のように枠体Ａへ装着する。先ず、天井シート４を枠体Ａの天面に載せ、各側壁シート５を枠体Ａの各側面を覆うように垂下させる。次に、隣接する２枚の側壁シート５の一方の面ファスナー８ａを他方の面ファスナー８ｂに押し付けて結合し、隣接する２枚の側壁シート５の端部同士を接続する。このとき、各側壁シート５の下端部は設置面よりも上方（例えば３０ｃｍ程度）に位置している（図４）。次に、各側壁シート５の下端部と設置面との間を塞ぐように、側壁シート５の下部に幅広の再剥離シート１３を接着させながら巻き付ける。これで仮設シートハウスの設置は完了する。必要により、図５に示すようにハウス内に粉塵等を回収するための集塵機（図示せず）を設置し、その集塵機を外部の吸引装置に接続するダクト１４を開口９に通して設置することができる。
【００２７】
仮設シートハウスを移動する場合は、集塵機及びダクト１４を撤去し、再剥離シート１３を除去する。再剥離シート１３の場合、側壁シート５の表面に粘着材が残らない。そして車輪３によって次の設置場所へ移動する。仮設シートハウスを解体する場合は、集塵機及びダクト１４を撤去し、再剥離シート１３を除去した後、各側壁シート５を天井シート４から分離する。枠体Ａは、縦パイプ１のキャップ１ａ及びクランプカバーを取り外した後、組み立て時と逆の手順で、車輪の保持部３ａ、横パイプ２、縦パイプ１に分離する。
【００２８】
次に、本考案の第２の実施の形態に係る仮設シートハウスについて説明する。図６は第２の実施形態に係る仮設シートハウスの枠体を示す正面図、図７は図６のＶＩＩ−ＶＩＩ線における側面断面図、図８は同仮設シートハウスのシートを示す平面図、図９は同仮設シートハウスのシートを示す平面図、図１０は同仮設シートハウスを示す正面図である。
【００２９】
第２の実施形態では、第１の実施形態の枠体Ａの側面に対して、枠体Ａの寸法と略等しい寸法の枠体Ａ１を１つ増設している。具体的には、第１の実施形態の４本の縦パイプ１に加えて、該４本の縦パイプ１が頂点に位置する正方形に同寸法の正方形を２つの頂点を共有して隣接させたときの他の２頂点に２本の縦パイプ１を立設させ、隣り合う縦パイプ１の上部同士及び下部同士を横パイプ２で連結している。尚、ハウス内部に位置する上下２本の横パイプ２のうち下側の横パイプ２を上げて、ハウス内での移動の妨げにならないようにしている（図７参照）。
【００３０】
第２の実施形態のシートＢ１は、２枚の天井シート４を接続するための接続シート１５を設けている点、及び側壁シート５の総数が６枚になる点を除いて第１の実施形態と同様である。接続シート１５は、天井シート４の１つの周辺部の長さよりも少し短い長さを有し、幅方向の両端部に、前記一対のファスナー片６ａ，６ｂの他方のファスナー片６ｂが設けてある。そして、接続シート１５の両端部の各ファスナー片６ｂと２枚の天井シート４の各１つの周辺部のファスナー片６ａとをスライダー７によって噛み合わせ、接続シート１５が接続されていない各天井シート４の３つの周辺部のファスナー片６ａに側壁シート５の上端部のファスナー片６ｂを噛み合わせている。
第２の実施形態のシートＢ１の装着は、接続シート１５で接続された２枚の天井シート４を枠体Ａ及び枠体Ａ１の各天面に載せる点を除いて第１の実施形態と同様である。第２の実施形態の仮設シートハウスは、第１の実施形態の仮設シートハウスを２つ連結したものと同等の大きさを有している。
【００３１】
次に、本考案の第３の実施の形態に係る仮設シートハウスについて説明する。図１１は第３の実施形態に係る仮設シートハウスの枠体を示す平面図、図１２は図１１のＸＩＩ−ＸＩＩ線における側面断面図、図１３は同仮設シートハウスのシートを示す平面図である。
【００３２】
第３の実施形態では、第１の実施形態の枠体Ａの側面に対して、枠体Ａの寸法と略等しい寸法の３つの枠体Ａ１，Ａ２，Ａ３を増設している。具体的には、平面視で略正方形をなすように、枠体Ａの一側面に直交する方向に１つの枠体Ａ１を増設し、枠体Ａの一側面と隣り合う他側面に直交する方向に沿って２つの枠体Ａ２，Ａ３を増設している。増設した枠体Ａ１は枠体Ａ側の２本の縦パイプ１を枠体Ａと共有し、枠体Ａ２は枠体Ａ側の２本の縦パイプ１を枠体Ａと共有し、枠体Ａ３は枠体Ａ，Ａ１，Ａ２側の３本の縦パイプ１を枠体Ａ，Ａ１，Ａ２と共有し、隣り合う縦パイプ１の上部同士及び下部同士を横パイプ２で連結している。尚、ハウス内の中央に位置する縦パイプ１ｂは上部分だけの短い長さにし、また、ハウス内に位置する上下の横パイプ２のうち上側の横パイプ２だけを中央の縦パイプ１ｂに連結して下側の横パイプ２は省略し、ハウス内での移動の妨げにならないようにしている（図１２）。
【００３３】
第３の実施形態のシートＢ２は、４枚の天井シート４を４つの接続シート１５によって、全体で１枚の天井シート４の約４倍の面積の正方形となるように接続し、さらに、４枚の天井シート４の接続シート１５が接続されていない側の合計８つの周辺部に側壁シート５を接続した構成である。
【００３４】
第３の実施形態のシートＢ２の枠体Ａ，Ａ１，Ａ２，Ａ３への装着は、４枚の天井シート４を枠体Ａ，Ａ１，Ａ２，Ａ３の各天面に載せる点を除いて第１の実施形態と同様である。第３の実施形態の仮設シートハウスは、第１の実施形態の仮設シートハウスを平面視で正方形をなすように４つ連結したものと同等の大きさを有する。
【００３５】
次に、本考案の第４の実施の形態に係る仮設シートハウスについて説明する。図１４は第４の実施形態に係る仮設シートハウスの天井シートを示す平面図、図１５は同仮設シートハウスのシートを示す平面図である。
【００３６】
第４の実施形態の天井シート４Ａは、正方形の４つの周辺部のうち、対向する２つの周辺部にスライダー７付きのファスナー片６ａが取り付けてあり、残りの２つの周辺部にスライダー７無しのファスナー片６ｂが取り付けてある点を除いて、第１の実施形態の天井シート４と同様である。また、上部にスライダー７無しのファスナー片６ｂが取り付けてある第１の実施形態の側壁シート５の他に、上部にスライダー７付きのファスナー片６ａが取り付けてある側壁シート５Ａを備えている。
【００３７】
第４の実施形態のシートＢ３は、２枚の天井シート４Ａの一方の周辺部に取り付けてあるスライダー７付きのファスナー片６ａと他方の天井シート４Ａの周辺部に取り付けてあるスライダー７無しのファスナー片６ｂとをスライダー７によって噛み合わせ、２枚の天井シート４の残りの６つの周辺部のうち、スライダー７付きのファスナー片６ａが取り付けてある周辺部にはスライダー７無しのファスナー片６ｂが取り付けてある側壁シート５を接続し、スライダー７無しのファスナー片６ｂが取り付けてある周辺部にはスライダー７付きのファスナー片６ａが取り付けてある側壁シート５Ａを接続してある。
第４の実施形態に係る仮設シートハウスの枠体は第２の実施形態に係る仮設シートハウスの枠体Ａ，Ａ１と同様であり、シートＢ３の装着は、接続された２枚の天井シート４Ａを枠体Ａ，Ａ１の各天面に載せる点を除いて第２の実施形態と同様である。
【００３８】
次に、本考案の第５の実施の形態に係る仮設シートハウスについて説明する。図１６は第５の実施形態に係る仮設シートハウスのシートを示す平面図である。
第５の実施形態のシートＢ４は、４枚の天井シート４Ａを全体で１枚の天井シート４Ａの約４倍の面積の正方形となるように接続し、４枚の天井シート４の外周側の８つの周辺部に、スライダー７無しのファスナー片６ｂが取り付けてある側壁シート５及びスライダー７付きのファスナー片６ａが取り付けてある側壁シート５Ａを接続してある。
【００３９】
第５の実施形態に係る仮設シートハウスの枠体は第３の実施形態に係る仮設シートハウスの枠体Ａ，Ａ１，Ａ２，Ａ３と同様であり、シートＢ４の装着は、接続された４枚の天井シート４Ａを枠体Ａ，Ａ１，Ａ２，Ａ３の天面に載せる点を除いて第３の実施形態と同様である。
【００４０】
上記第３から第５の実施形態において、枠体Ａの側面に対して、枠体Ａの寸法と略等しい寸法の所定数の枠体を増設し、枠体の増設した分に対応させて天井シート４，４Ａを適宜の枚数接続し、第１の実施形態の仮設シートハウスを適宜の個数連結したものと同等の大きさの仮設シートハウスにすることが可能である。
【００４１】
上記第１〜第３の実施形態では、天井シート４の４つの周辺部全てに、スライダー７付きのファスナー片６ａを設けたが、４つの周辺部の一部にスライダー７付きのファスナー片６ａを設け、残りの周辺部にスライダー７無しのファスナー片６ｂを設ける構成（この場合、スライダー７無しのファスナー片６ｂを取り付けた側壁シート５の他に、スライダー７付きのファスナー片６ａを取り付けた側壁シート５Ａが必要となる）、あるいは、４つの周辺部全てに、スライダー７無しのファスナー片６ｂを設ける構成（この場合、側壁シートは全てスライダー７付きのファスナー片６ａを取り付けた側壁シート５Ａになる）でもよい。また、第２及び第３の実施形態においては、接続シート１５は、両端部の一方にスライダー７無しのファスナー片６ｂを設け、他方にスライダー７付きのファスナー片６ａを設けたもの、あるいは、両端部にスライダー７付きのファスナー片６ａを設けたものになる。
【００４２】
上記第４及び第５の実施形態では、天井シート４Ａとして、対向する２辺にスライダー７付きのファスナー片６ａを設け、残りの対向する２辺にスライダー７無しのファスナー片６ｂを設けたが、スライダー７付きのファスナー片６ａを設ける周辺部の配置はこれに限らない。例えば隣り合う２辺にスライダー７付きのファスナー片６ａを設け、残りの隣り合う２辺にスライダー７無しのファスナー片６ｂを設けてもよく、また、天井シートの４辺のうちの１辺にのみスライダー７付きのファスナー片６ａを設け、残りの３辺にスライダー７無しのファスナー片６ｂを設けてもよく、また、１辺にのみスライダー７無しのファスナー片６ｂを設け、残りの３辺にスライダー７付きのファスナー片６ａを設けてもよい。要するに、天井シート４Ａの４つの周辺部の一部にスライダー７付きのファスナー片６ａを設け、残りの周辺部にスライダー７無しのファスナー片６ｂを設ける形態であればよい。
【００４３】
上記実施形態では、側壁シート５，５Ａの下部に再剥離シート１３を貼り付けて側壁シート５，５Ａの下端部と設置面との間を塞ぐようにしたが、側壁シート５，５Ａの下部表面に面ファスナーの一方を設け、側壁シート５，５Ａの下端部と設置面との間を塞ぐことができる幅広の帯状シートに面ファスナーの他方を設け、両方の面ファスナーの結合によって帯状シートを側壁シート５，５Ａの下部に着脱自在に取り付ける構成でもよい。
【００４４】
上記実施形態では、透明部１２をスリット状の開口９から離れた位置に設けたが、スリット状の開口９の両側のシート部分を透明なシート材で構成して透明部としてもよい。
【００４５】
上記実施形態では、車輪３によって仮設シートハウスを移動するようにしたが、仮設シートハウスをレッカーにより吊り上げて空中移動するようにしてもよい。
【符号の説明】
【００４６】
１  縦パイプ（枠材）、１ｂ  縦パイプ（枠材）、２  横パイプ（枠材）、３  車輪、４  天井シート、４Ａ  天井シート、５  側壁シート、５Ａ  側壁シート、６ａ  ファスナー片、６ｂ  ファスナー片、７  スライダー、９  開口、１０ａ  ファスナー片、１０ｂ  ファスナー片、１１ａ  スライダー、１１ｂ  スライダー、１２  透明部、１３  再剥離シート（裾シート）、１５  接続シート（帯体）、Ａ  枠体、Ａ１  枠体、Ａ２  枠体、Ａ３  枠体
【図１】
0003150867.tif 000003
【図２】
0003150867.tif 000004
【図３】
0003150867.tif 000005
【図４】
0003150867.tif 000006
【図５】
0003150867.tif 000007
【図６】
0003150867.tif 000008
【図７】
0003150867.tif 000009
【図８】
0003150867.tif 000010
【図９】
0003150867.tif 000011
【図１０】
0003150867.tif 000012
【図１１】
0003150867.tif 000013
【図１２】
0003150867.tif 000014
【図１３】
0003150867.tif 000015
【図１４】
0003150867.tif 000016
【図１５】
0003150867.tif 000017
【図１６】
0003150867.tif 000018